(57)【特許請求の範囲】
【請求項１】
液晶の光学特性を制御可能に構成された液晶表示体と、該液晶表示体を照明する照明装置とを備えた液晶装置において、
前記液晶表示体は、前記液晶を挟持して対向する一対の基板を有し、
前記一対の基板のうち前記照明装置側に配置される前記基板の前記照明装置と対向する面に、電力供給に基づく抵抗加熱により発熱する発熱体が成膜され、前記発熱体上には偏光板が貼着されており、
前記照明装置は、前記液晶表示体に対して平面的に重なる導光板と、該導光板の側端面に沿って配列され前記導光板に導入される光を放射する複数の光源とを含み、
前記発熱体は、前記照明装置による前記液晶表示体に対する加熱に起因する温度分布に対応して設けられ、それぞれ独立して機能可能に構成されるとともに相互に分離して形成された複数の発熱領域を有し、
隣り合う前記発熱領域同士は、前記照明装置の発熱に起因する液晶表示体上の温度分布の等温度領域に沿った曲線形状のスリットにより分離されており、
複数の前記発熱領域は、前記液晶表示体上の温度勾配が相対的に大きい平面領域ほど相対的に小さい平面積に形成され、前記温度勾配が小さい平面領域ほど相対的に大きい平面積に形成されており、
前記発熱体における複数の前記発熱領域を独立して制御可能な発熱制御部と、各々の前記発熱領域に設けられた温度センサとをさらに含み、該発熱制御部は前記温度センサにより検出した前記発熱領域の温度に基づいて複数の前記発熱領域を制御することを特徴とする液晶装置。
【請求項２】
請求項１に記載の液晶装置を搭載したことを特徴とする電子機器。
【発明の詳細な説明】
【技術分野】
【０００１】
本発明は液晶装置及び電子機器に係り、特に、液晶の光学特性を制御可能に構成された
液晶表示体と、液晶表示体を照明する照明装置と、液晶表示体を加熱する発熱体とを備え
た液晶装置の構成に関する。
【背景技術】
【０００２】
一般に、液晶表示体のように、液晶等の液晶を制御可能に構成された液晶表示体は、バ
ックライトのような照明装置と組み合わされて使用される。例えば、透過型の液晶表示体
や半透過反射型の液晶表示体では、透過表示を可能とするために照明光が必要であり、こ
の照明光を与えるためにバックライトやフロントライト等が用いられる。
【０００３】
また、液晶は、低温下では粘度が増大すること等によって液晶の応答性が悪化し、表示
品位が低下するので、例えば、車載用の液晶表示装置には、始動時において液晶表示体を
加熱するためのヒータを内蔵したものがある。このような液晶表示体としては、例えば、
画素間の遮光用のブラックマトリクスをヒータとして用いるもの（例えば、以下の特許文
献１参照）、透明導電体からなる層を基板上に全面的に形成してヒータとして用いるもの
（例えば、以下の特許文献２参照）などが知られている。
【特許文献１】特開平６−２８９３７０号公報
【特許文献２】特開２０００−４７２４７号公報
【発明の開示】
【発明が解決しようとする課題】
【０００４】
しかしながら、前述のヒータを内蔵した液晶表示装置においては、液晶表示体の背後に
バックライトを配置したとき、バックライトから受ける熱が液晶表示体に伝達されるため
、低温下で液晶表示体を点灯させたとき、バックライトから受ける熱が多い領域と、バッ
クライトから受ける熱が少ない領域とで温度差が生じることから、光源からの距離に応じ
て表示態様に差が生じる虞があるという問題点がある。
【０００５】
そこで、本発明は上記問題点を解決するものであり、その課題は、バックライト等の照
明装置を備えた液晶装置において、液晶が制御される領域内の温度均一性を高めることに
より、低温環境における動作品位を向上させることのできる構成を実現することにある。
【課題を解決するための手段】
【０００６】
斯かる実情に鑑み、本発明の液晶装置は、液晶の光学特性を制御可能に構成された液晶表示体と、該液晶表示体を照明する照明装置とを備えた液晶装置において、前記液晶表示体は、前記液晶を挟持して対向する一対の基板を有し、前記一対の基板のうち前記照明装置側に配置される前記基板の前記照明装置と対向する面に、電力供給に基づく抵抗加熱により発熱する発熱体が成膜され、前記発熱体上には偏光板が貼着されており、前記照明装置は、前記液晶表示体に対して平面的に重なる導光板と、該導光板の側端面に沿って配列され前記導光板に導入される光を放射する複数の光源とを含み、前記発熱体は、前記照明装置による前記液晶表示体に対する加熱に起因する温度分布に対応して設けられ、それぞれ独立して機能可能に構成されるとともに相互に分離して形成された複数の発熱領域を有し、隣り合う前記発熱領域同士は、前記照明装置の発熱に起因する液晶表示体上の温度分布の等温度領域に沿った曲線形状のスリットにより分離されており、複数の前記発熱領域は、前記液晶表示体上の温度勾配が相対的に大きい平面領域ほど相対的に小さい平面積に形成され、前記温度勾配が小さい平面領域ほど相対的に大きい平面積に形成されており、前記発熱体における複数の前記発熱領域を独立して制御可能な発熱制御部と、各々の前記発熱領域に設けられた温度センサとをさらに含み、該発熱制御部は前記温度センサにより検出した前記発熱領域の温度に基づいて複数の前記発熱領域を制御することを特徴とする。
【０００７】
この発明によれば、液晶を加熱するための発熱体に、それぞれ独立して機能可能に構成
された複数の発熱領域が設けられ、これらの複数の発熱領域は、前記照明装置による前記
液晶表示体に対する加熱に起因する温度分布に対応して設けられていることにより、照明
装置の光源で発生する熱が液晶に及ぼされる場合において、当該熱によって生ずる温度分
布に応じて複数の発熱領域を異なる発熱密度（単位面積当たりの発熱量）となるように制
御することによって、光源による熱の影響を適宜に調整することが可能になる。
【０００８】
本発明において、前記複数の発熱領域は相互に分離して形成されていることが好ましい
。これによれば、複数の発熱領域が相互に分離されていることで、発熱領域間の熱的影響
を低減できるため、より効率的に上記の温度分布を制御することが可能になる。特に、上
記複数の発熱領域は平面的に相互に分離した平面パターンとなるように形成されているこ
とが望ましい。
【０００９】
本発明において、前記発熱体は抵抗加熱方式で前記液晶を加熱するように構成され、同
一の電圧若しくは同一の電流を与えた場合に、前記光源に相対的に近い範囲に配置された
前記発熱領域の発熱密度が相対的に小さく、前記光源から相対的に遠い範囲に配置された
前記発熱領域の発熱密度が相対的に大きいことが好ましい。これによれば、それぞれの発
熱領域に同一の電圧を並列に印加した場合、或いは、それぞれの発熱領域を直列に接続す
ることなどによって同一の電流を流した場合において、光源に近い発熱領域における発熱
密度が小さく、光源から遠い発熱領域における発熱密度を大きくすることができるため、
光源で発生する熱に起因する温度のばらつきを緩和させることができると同時に、電力供
給系を簡易に構成できる。
【００１０】
本発明において、前記発熱体における複数の前記発熱領域を独立して制御可能な発熱制
御部をさらに含むことが好ましい。これによれば、発熱制御部によって複数の発熱領域を
独立して制御可能とすることにより、光源で発生した熱に応じて複数の発熱領域による液
晶表示体の加熱態様を任意に設定できる。
【００１１】
本発明において、前記発熱制御部により、前記光源に相対的に近い範囲に配置された前
記発熱領域が相対的に低い発熱密度を有し、前記光源から相対的に遠い範囲に配置された
前記発熱領域が相対的に高い発熱密度を有するように制御されることが好ましい。これに
よれば、光源で発生する熱の影響を受けやすい、光源に相対的に近い範囲に配置された発
熱領域は低い発熱密度を有し、光源で発生する熱の影響を受けにくい、光源から相対的に
遠い範囲に配置された発熱領域は高い発熱密度を有するので、光源で発生する熱に起因す
る温度のばらつきを抑制することができる。
【００１２】
次に、本発明の別の液晶装置は、液晶を制御可能に構成された液晶表示体と、該液晶表
示体を照明する照明装置とを備えた液晶装置において、前記液晶を加熱するための発熱体
を有し、前記照明装置は、前記液晶表示体に対して平面的に重なる導光板と、該導光板に
導入される光を放射する光源とを含み、前記発熱体は、前記照明装置による前記液晶表示
体に対する加熱に起因する温度分布に対応して設けられ、それぞれ異なる発熱密度を生ず
るように構成された複数の発熱領域を有することを特徴とする。
【００１３】
本発明において、前記光源側に配置された第１の前記発熱領域と、該第１の発熱領域の
前記光源とは反対側に配置された一の部分を備えた第２の前記発熱領域とを有し、前記第
２の発熱領域の他の部分が前記第１の発熱領域の外縁に沿って前記一の部分より前記光源
側に延在する場合がある。通常、本発明に係る複数の発熱領域は光源に対する距離がそれ
ぞれ異なる範囲に設けられる。しかしながら、例えば、第１の発熱領域が光源側に配置さ
れ、第２の発熱領域の一の部分が第１の発熱領域の光源とは反対側に配置されていても、
第２の発熱領域の他の部分が第１の発熱領域の外縁に沿って前記一の部分から前記光源側
に延在していてもよい。この場合、第２の発熱領域の他の部分と光源との距離が、第１の
発熱領域と光源との距離以下であっても、第１の発熱領域と、第２の発熱領域の一の部分
とは光源からの距離がそれぞれ異なる範囲に形成されているため、発熱体によって照明装
置に起因する液晶表示体の温度分布を緩和することが可能である。
【００１４】
本発明において、前記光源に相対的に近い範囲に配置された発熱密度が相対的に低い前
記発熱領域と、前記光源から相対的に遠い範囲に配置された発熱密度が相対的に高い前記
発熱領域と、を有することが好ましい。
【００１５】
本発明において、前記発熱領域は、前記液晶表示体に対して、その少なくとも制御が行
われる平面領域内において接触配置された発熱層で構成されることが好ましい。これによ
れば、液晶表示体に対して直接に熱を伝達することができるので、効率的かつ効果的に加
熱を行うことができる。
【００１６】
本発明において、前記発熱領域は、前記液晶表示体の少なくとも制御が行われる平面領
域内に配置された透明素材からなる発熱層で構成されていることが好ましい。これによれ
ば、発熱層が透明素材で構成されることにより、発熱層の光学的な影響を低減できるため
、例えば、上記平面領域内において全面的に発熱層を形成することができる、発熱層を液
晶表示体の外部や内部の任意の場所に設けることができるなど、発熱層のパターン形状や
発熱層の形成位置を自由に設定することが可能になる。
【００１７】
本発明において、前記発熱領域は、前記液晶表示体の少なくとも制御が行われる平面領
域内に配置された発熱層で構成され、該発熱層は、前記液晶と前記照明装置との間に配置
されることが好ましい。これによれば、発熱層が液晶と照明装置との間に配置されること
によって、液晶表示体が照明装置側から受ける熱的影響を発熱層自体で或る程度遮蔽した
り緩和したりすることができると同時に、液晶に対して効率的に加熱を行うことが可能に
なる。
【００１８】
なお、上記の発熱層は、液晶表示体の少なくとも制御が行われる平面領域内において、
一体の面状に構成されていることが好ましい。また、複数の発熱領域の境界部を除き、上
記平面領域全体に配置されていることが望ましい。
【００１９】
本発明において、前記光源に相対的に近い前記発熱領域の配置範囲における前記光源に
対する距離の変化幅は、前記光源から相対的に遠い前記発熱領域の配置範囲の前記変化幅
よりも小さいことが好ましい。これによれば、光源に近い部分では光源で発生した熱によ
る影響を受けやすいため、当該影響による温度勾配が大きくなるのに対して、光源から遠
い部分では光源で発生した熱による影響を受けにくくなるので、当該影響による温度勾配
が小さくなる。したがって、光源に近い発熱領域の配置範囲を光源に対する距離の変化幅
が小さく、光源から遠い発熱領域の配置範囲を当該変化幅が大きくなるように構成するこ
とにより、光源で発生した熱による温度勾配を効率的に緩和させることが可能になる。
【００２０】
本発明において、前記複数の発熱領域は、前記照明装置による前記液晶表示体に対する
加熱に起因する温度分布の等温度領域に沿って分離された平面範囲を有することが好まし
い。これによれば、複数の発熱領域の平面範囲が、照明装置による液晶表示体の温度分布
の等温度領域に沿って分離されていることにより、上記温度分布に対応して加熱態様を変
えることが可能になるので、液晶表示体の温度分布の制御性をさらに高めることができる
。
【００２１】
また、本発明の電子機器は、上記のいずれかに記載の液晶装置を搭載したことを特徴と
する。このような電子機器としては、カーナビゲーションシステム、車載用時計、車載用
音響機器、車載用モニタ、電子メータパネル等といった車載用機器、ＧＰＳ（グローバル
位置検出システム）、携帯電話機等といった携帯型電子機器などが好ましい。
【発明を実施するための最良の形態】
【００２２】
次に、添付図面を参照して本発明の実施形態について詳細に説明する。図１（ａ）は本
実施形態の液晶装置１００の概略縦断面図、図１（ｂ）は液晶装置１００の照明装置及び
発熱層の平面配置を示す概略平面図である。
【００２３】
液晶装置１００は、液晶として液晶を用いる液晶表示体（液晶表示体）１１０と、この
液晶表示体１１０と平面的に重なり配置される照明装置１２０とを含んでいる。
【００２４】
液晶表示体１１０は、ガラスやプラスチック等からなる透明な基板１１１と１１２をシ
ール材１１３にて所定間隔（３〜１０μｍ程度）で貼り合わせ、基板１１１と１１２の間
に液晶１１４を封入してなる。基板１１１にはフレキシブル配線基板（ＦＰＣ）等の配線
基板１１７が実装され、配線基板１１７を介して配線（図示せず）に所定の電位若しくは
制御信号が供給されることによって、液晶１１４の封入領域内に配置された電極（図示せ
ず）に所定電位を供給することができるように構成されている。
【００２５】
液晶表示体１１０には発熱体として発熱体１１８が接触配置されている。図示例の場合
、発熱体１１８は、液晶表示体１１０の表示領域Ａ内に配置されたＩＴＯ（インジウムス
ズ酸化物）等の透明導電体からなる発熱層で構成されている。このように発熱体１１８が
透光性を有することにより、液晶装置１００の光学特性に大きな影響を与えずに、自由な
平面パターンで形成することができ、また、設置位置の自由度を確保できる。ここで、表
示領域Ａとは、液晶表示体１１０における液晶（図示例の場合には液晶１１４）が制御可
能に構成された平面領域、すなわち駆動領域若しくは制御領域のことである。実際には、
表示領域Ａ内には相互に独立に制御可能に構成された複数の画素（図示せず）が縦横に配
列されている。当該画素は、液晶（液晶１１４）に電界を付与する電極によって制御され
る最小単位平面領域である。
【００２６】
発熱体１１８は、２つの発熱層１１８Ａ及び１１８Ｂを有し、発熱層１１８Ａと１１８
Ｂは相互に独立して機能可能に構成されている。具体的には、図示例の場合、発熱層１１
８Ａと１１８Ｂとは平面的に分離したパターンを有するように形成されている。また、発
熱層１１８Ａ及び１１８Ｂは、共に表示領域Ａ内に配置された部分を有する。発熱層１１
８Ａ，１１８Ｂは、それぞれ電力供給を受けるための２つの端子部（電位供給部位）１１
９Ａ，１１９Ｂを備え、これらの端子部１１９Ａ，１１９Ｂは、上記表示領域Ａの外に配
置されている。これらの端子部１１９Ａ、１１９Ｂは発熱体１１８Ａ，１１８Ｂ上に積層
された金属膜等で構成されている。
【００２７】
上記のように、本実施形態では、発熱層１１８Ａと１１８Ｂにそれぞれ給電用の端子部
１１９Ａ，１１９Ｂが別々に設けられているため、発熱層１１８Ａと１１８Ｂにそれぞれ
独立して電力を供給することができる。したがって、これらの発熱層１１８Ａと１１８Ｂ
は相互に独立に機能可能に構成されていることとなる。ただし、このように構成されてい
る場合でも、後述するように、図１（ｂ）に点線で示す導電接続部Ｘでそれぞれ一方の端
子部１１９Ａと１１９Ｂとを導電接続することで、発熱層１１８Ａと１１８Ｂとを直列に
接続し、導電接続部Ｘが接続されていないそれぞれ他方の端子部１１９Ａと１１９Ｂとの
間に所定の電圧を印加することも可能である。
【００２８】
図示例では、発熱層１１８Ａ及び１１８Ｂは基板１１１の外面（基板１１２と対向する
側とは反対側の面）上に被着されている。発熱層１１８Ａ及び１１８Ｂは蒸着法やスパッ
タリング法等の気相成膜法によって形成されたものであることが好ましい。
【００２９】
発熱体１１８上には偏光板１１５が配置（貼着）されている。また、基板１１２の外面
（基板１１１と対向する面とは反対側の面）上には偏光板１１６が配置（貼着）されてい
る。
【００３０】
一方、照明装置１２０は、ＬＥＤ（発光ダイオード）等で構成される光源１２１と、こ
の光源１２１からの光が端面である光入射面１２２ａから入射して内部を伝播した後に、
液晶表示体１１０側の光出射面１２２ｂから出射されるように構成された、アクリル樹脂
やポリカーボネート樹脂等の導光素材（透明素材）で構成された導光板１２２と、導光板
１２２の上記光出射面１２２ｂとは反対側の裏面１２２ｃ上に配置された、ポリエチレン
樹脂や金属材料で構成された反射板１２３とを備えている。光源１２１は配線基板１２７
上に実装され、この配線基板１２７を介して電力供給を受けるようになっている。
【００３１】
上記の導光板１２２は、その光出射面１２２ｂが上記液晶表示体１１０の表示領域Ａの
全体と平面的に重なるように構成され、配置されている。また、導光板１２２には、光源
１２１の光を図示右側から左側へ向けて伝播させていく途中で、少しずつ光出射面１２２
ｂ側に偏向させるための光偏向手段、例えば、裏面１２２に形成された複数の光偏向用斜
面（図示せず）を備えている。
【００３２】
なお、本実施形態では、光源１２１がＬＥＤ等の本質的には点状光源であり、また、こ
の点状光源を導光板１２２の光入射面１２２ａの幅方向に複数配列させてあるが、これら
の複数の点状光源の代わりに、冷陰極管等の線状光源を用いても構わない。また、本実施
形態では、導光板１２２の光出射面１２２ｂ上に上記の液晶表示体１１０が直接配置され
ているが、導光板１２２と液晶表示体１１０との間に、光拡散板、集光板等の光学シート
を介在させてもよい。
【００３３】
本実施形態では、発熱体１１８の発熱層１１８Ａは、照明装置１２０の光源１２１に近
い平面範囲に配置され、発熱層１１８Ｂは、光源１２１から遠い平面範囲に配置されてい
る。すなわち、発熱層１１８Ａ及び１１８Ｂは、それぞれ、光源１２１側の領域と、これ
とは反対側の領域とにおいて、それぞれ帯状に配置されている。換言すると、本実施形態
において、表示領域Ａは分割線Ｓによって光源１２１側の平面範囲（図示右側の範囲）と
、光源１２１とは反対側の平面範囲（図示左側の範囲）とに分割され、発熱体１１８の発
熱層１１８Ａと１１８Ｂは、この分割線Ｓによって分離された各平面範囲に配置されてい
る。図示例の場合、発熱層１１８Ａと１１８Ｂとの間には絶縁を確保するための適宜の間
隙（分割線Ｓに沿ったスリット）が設けられている。
【００３４】
上記のように構成された本実施形態では、光源１２１に近い発熱層１１８Ａでは発熱密
度を小さくし、光源１２１から遠い発熱層１１８Ｂでは発熱密度を大きくすることで、光
源１２１で発生する熱による影響を受けても液晶表示体１１０の温度ばらつきが生じにく
くなるように構成できる。
【００３５】
より具体的に述べると、照明装置１２０が液晶表示体１１０を照明するときには、光源
１２１で発生する熱によって、導光板１２２が光源１２１側では温度が高く、光源１２１
から離れるに従って温度が低くなるといった温度勾配が形成される。したがって、発熱体
１１８で液晶表示体１１０を均一に加熱しても、液晶表示体１１０には、照明装置１２０
の温度勾配を反映した温度ばらつきが生ずる。
【００３６】
特に、照明装置１２０の導光板１２２や液晶表示体１１０の基板１１１，１１２は熱伝
導率が比較的低いので、光源１２１で発生する熱は導光板１２２や基板１１１，１１２に
沿って平面方向に伝達されにくいため、通常、光源１２１で発生する熱によって表示領域
Ａ内には２インチの表示体で約７〜１０℃、７インチの表示体で２２℃程度の大きな温度
差が生ずる。これらの温度差の例は、照明装置１２０を点灯した後に或る程度時間が経過
した後の定常状態におけるデータであるが、装置の始動時においても、低温環境下では大
きな温度差が発生しうる。
【００３７】
しかしながら、本実施形態では、光源１２１に近い発熱層１１８Ａと、光源１２１から
遠い発熱層１１８Ｂとが独立して機能可能に構成されているので、それぞれを異なる態様
で動作させたり、制御したりすることが可能になる。また、複数の発熱層１１８Ａ、１１
８Ｂが相互に分離して形成されていることにより、相互間の熱的影響を低減することがで
きるため、照明装置１２０に起因する温度勾配による影響を緩和させることができる。
【００３８】
本発明では、発熱層１１８Ａと１１８Ｂが異なる発熱密度を有するように構成すればよ
い。すなわち、発熱層１１８Ａと１１８Ｂの制御量が同じでも異なる発熱密度を呈するよ
うに構成するか、或いは、発熱層１１８Ａと１１８Ｂの制御量を変えて異なる発熱密度を
呈するように動作させる。
【００３９】
前者の場合には、発熱層１１８Ａと１１８Ｂは相互に異なる材質を有するものであって
もよい。例えば、発熱層１１８Ａと１１８Ｂを発熱特性の異なる素材で構成することによ
り、同一の電圧、或いは、同一の電流を与えても、相互に発熱密度（単位面積及び単位時
間当たりの発熱量）を異なるものとすることができる。また、発熱層１１８Ａと１１８Ｂ
を厚みが異なるように構成しても、同一の電圧を与えたときに、相互に発熱密度を異なる
ものとすることができる。
【００４０】
本実施形態の場合には、発熱層１１８Ａと１１８Ｂに同一の電圧を並列に印加した場合
、或いは、図１（ｂ）に点線で示す導電接続部Ｘを設けて発熱層１１８Ａと１１８Ｂを直
列に接続することなどにより同一の電流を流した場合に、発熱層１１８Ａの発熱密度を相
対的に小さく、発熱層１１８Ｂの発熱密度を相対的に大きくすればよい。
【００４１】
本実施形態では発熱体１１８は抵抗加熱方式で液晶表示体を加熱するものであるから、
例えば、同一の電圧を並列に印加する場合には、材料の発熱特性にも依存するが、説明の
都合上、発熱特性が消費電力にのみ依存すると仮定した場合には、前記光源に相対的に近
い範囲に配置された前記発熱領域では実質的な表面抵抗率が相対的に高く、前記光源から
相対的に遠い範囲に配置された前記発熱領域では実質的な表面抵抗率が相対的に低くなる
ように構成すればよい。より具体的には、厚みが同一であっても、発熱層１１８Ａを抵抗
率が大きい素材で構成し、発熱層１１８Ｂを抵抗率が小さい素材で構成すればよく、また
、抵抗率が同じであっても、発熱層１１８Ａを薄く、発熱層１１８Ｂを厚くしてもよい。
なお、抵抗率と厚みを組み合わせて変えるようにしても構わない。
【００４２】
また、同一の電流を流す場合においては、材料の発熱特性にも依存するが、説明の都合
上、上記と同様に発熱特性が消費電力にのみ依存すると仮定した場合には、前記光源に相
対的に近い範囲に配置された前記発熱領域では実質的な表面抵抗率が相対的に低く、前記
光源から相対的に遠い範囲に配置された前記発熱領域では実質的な表面抵抗率が相対的に
高くなるように構成すればよい。より具体的には、厚みが同一であっても、発熱層１１８
Ａを抵抗率が小さい素材で構成し、発熱層１１８Ｂを抵抗率が大きい素材で構成すればよ
く、また、抵抗率が同じであっても、発熱層１１８Ａを厚く、発熱層１１８Ｂを薄くして
もよい。なお、抵抗率と厚みを組み合わせて変えるようにしても構わない。
【００４３】
このようにした場合には、発熱層１１８Ａと１１８Ｂとに対して同一の電圧を並列に印
加したり、発熱層１１８Ａと１１８Ｂを直列に接続したりすればよいので、発熱体１１８
に対する電力供給系や制御系を簡易に構成することが可能になる。
【００４４】
一方、後者の場合には、例えば、発熱層１１８Ａと１１８Ｂに異なる電圧を印加するこ
とによって発熱密度を変えることができる。この場合に、発熱体１１８を制御する発熱制
御部を設けることで、発熱層１１８Ａと１１８Ｂの発熱密度を制御することが好ましい。
【００４５】
図５は、本実施形態における上記発熱体１１８と、この発熱体１１８を制御する発熱体
制御部ＨＳとを有する発熱体ＨＴの一例を示す概略構成図である。本実施形態では、上述
のように複数の発熱層１１８Ａ，１１８Ｂに対して同一の電圧を印加したり直列に接続し
たりして、複数の発熱層に対して単一の電力供給系を用いて給電を行うようにしてもよい
。しかしながら、図５に示す発熱体ＨＴでは、発熱層１１８Ａ，１１８Ｂのそれぞれに対
して独立した条件で電力供給を行うことができるように構成されている。
【００４６】
発熱体ＨＴは、発熱体制御部ＨＳによって発熱体１１８に電力を供給し、発熱体１１８
では当該電力に基づく抵抗加熱によって発熱するようになっている。発熱体制御部ＨＳは
、制御回路やマイクロプロセッサユニット等で構成される制御器Ｔと、この制御器Ｔから
出力される制御信号に基づいて動作する電力供給部ＤＡ，ＤＢとを備えている。電力供給
部ＤＡは端子部１１９Ａを介して発熱層１１８Ａに電力を供給し、電力供給部ＤＢは端子
部１１９Ｂを介して発熱層１１８Ｂに電力を供給する。したがって、本実施形態の発熱体
制御部ＨＳは、上述のように発熱層１１８Ａと１１８Ｂとを独立に制御することができる
ように構成されている。具体的には、電力供給部ＤＡ，ＤＢによって発熱層１１８Ａ，１
１８Ｂに印加される電圧を制御量として適宜に設定することで、発熱層１１８Ａ、１１８
Ｂの発熱特性、抵抗率、厚み等に拘わらず、発熱層１１８Ａ，１１８Ｂの発熱密度を相互
に独立した状態で適宜に設定することができる。
【００４７】
また、発熱体ＨＴには、発熱層１１８Ａ，１１８Ｂの温度、若しくは、加熱対象である
液晶表示体１１０の温度を検出するための温度センサＳＡ，ＳＢを設け、温度センサＳＡ
，ＳＢで検出された温度に基づいて制御器Ｔが発熱体１１８の発熱態様を制御するように
構成してもよい。図示例の場合、発熱層１１８Ａに対応する温度センサＳＡ（発熱層１１
８Ａの近傍、若しくは、発熱層１１８Ａに対して平面的に重なる液晶表示体１１０の部位
の近傍の温度を検出するセンサ）と、発熱層１１８Ｂに対応する温度センサＳＢ（発熱層
１１８Ｂの近傍、若しくは、発熱層１１８Ｂに対して平面的に重なる液晶表示体１１０の
部位の近傍の温度を検出するセンサ）とを別々に設け、これらの温度センサＳＡ，ＳＢで
検出された温度に基づいて発熱層１１８Ａと１１８Ｂを別々に温度制御できるように構成
される。
【００４８】
また、本実施形態では、発熱層１１８Ａと１１８Ｂを平面的に分離した形で形成してい
るため、両発熱層の間の熱的影響が比較的少なくなり、照明装置１２０による熱影響をよ
り効果的に補償することが可能になる。ただし、発熱層１１８Ａと１１８Ｂは相互に独立
して機能するように構成されていればよく、例えば、両者の配置範囲の平面的な重なりが
部分的に生じていても構わない。独立して機能するとは、例えば、本実施形態のように抵
抗加熱方式の複数の発熱層を有する場合には、複数の発熱層に対して別々に電力を供給し
て発熱させることができることを意味する。この場合、複数の発熱層が相互に同通してい
てもいなくてもよいが、本実施形態のように相互に絶縁されていることが望ましい。
【００４９】
なお、本実施形態では二つの発熱層１１８Ａ，１１８Ｂを設けることによって、相互に
異なる加熱態様を実現できる発熱領域を二分割しているが、光源１２１に対する異なる距
離を有する範囲に三以上の発熱領域を設けても構わない。
【００５０】
本実施形態においては、光源１２１から離れる方向（図示左右方向）に見たときの発熱
層１１８Ａの長さ（すなわち、発熱層１８１Ａの配置範囲における光源１２１に対する距
離の変化幅）ＬＡは、発熱層１１８Ｂの長さ（同変化幅）ＬＢよりも小さく形成されてい
る。これは、光源１２１に近い領域では光源１２１で発生する熱による影響が大きいため
に温度勾配が大きく、光源１２１から遠い領域では光源１２１で発生する熱による影響が
小さいために温度勾配が小さくなるためである。すなわち、温度勾配が大きい光源１２１
に近い領域に配置された発熱層１１８Ａの範囲ＬＡを狭く設定し、温度勾配が小さい光源
１２１から遠い領域に配置された発熱層１１８Ｂの範囲ＬＢを広く設定することで、上記
の温度勾配が大きい平面範囲に形成される発熱層１１８Ａがカバーする加熱範囲内におけ
る上記の温度勾配に基づく温度差を小さくすることができるため、発熱層１１８Ａと１１
８Ｂの範囲を同じ長さに設定する場合に較べて、照明装置１２０に起因する温度勾配を効
率的に緩和することが可能になる。
【００５１】
また、上記発熱体の性能としては、例えば、表示領域Ａ内の液晶の温度差を、外部の環
境温度が均一である場合、少なくとも所定温度以下（例えば、０℃以下、５℃以下など）
において常時５℃以下とするように構成されていることが好ましい。通常、液晶装置を始
動させると、光源１２１が点灯するとともに発熱体が動作し、発熱体１１８が発熱し、温
度が或る程度上昇した時点で発熱体１１８への給電が遮断される。高温時においては温度
差に起因する表示品位への影響は少ないが、特に低温時においては光源１２１の発熱によ
る熱的影響が大きくなるので、所定温度以下において温度差を一定値以下になるように構
成（制御）されることが好ましい。
【００５２】
図２は、上記実施形態とは異なる実施形態の照明装置及び発熱体の平面構造を示す概略
平面図である。この実施形態では、発熱体１１８′の発熱層１１８Ａ′及び発熱層１１８
Ｂ′の相互に隣接する側の境界縁１１８Ａｓ′、１１８Ｂｓ′が導光板１１２の幅方向中
央部では光源１２１より相対的に遠い位置にあり、導光板１１２の幅方向両端側に移動す
るほど光源１２１に相対的に近い位置にあるように、光源１２１から離間する方向に見て
凸の曲線状に構成されている。
【００５３】
本実施形態では、照明装置１２０の熱的影響に起因する温度分布は、図示点線で示すよ
うに、導光板１１２の幅方向中央部において高く、導光板１１２の幅方向両端側に移動す
るほど低くなっている。これは、光源１２１の発熱による影響が導光板１２１の幅方向中
央部に強く、幅方向両端側へ移動するほど弱くなるからであり、この導光板１１２と平面
的に重なる液晶表示体１１０にも同じ傾向を有する温度分布が形成される。このような温
度分布は、照明装置１２０や液晶表示体１１０の側面が外部に露出している場合、或いは
、熱伝導率の低いケース体（例えば、樹脂ケース）に格納されている場合などにおいて生
ずる。
【００５４】
上記のような照明装置１２０に起因する温度分布が生ずる装置では、当該温度分布の等
温度領域に沿った分割態様で複数の発熱領域（発熱層）が分離形成されることで、すなわ
ち、図示の分割線Ｓ′に沿って発熱体１１８′が分割されることで、上記温度分布を最も
効果的に緩和することが可能になる。
【００５５】
図３は、さらに別の実施形態の照明装置及び発熱体の平面構造を示す概略平面図である
。この実施形態では、発熱体１１８″の発熱層１１８Ａ″及び発熱層１１８Ｂ″の相互に
隣接する側の境界縁１１８Ａｓ″、１１８Ｂｓ″が導光板１１２の幅方向中央部では光源
１２１に相対的に近い位置にあり、導光板１１２の幅方向両端側に移動するほど光源１２
１から相対的に遠い位置にあるように、光源１２１から離間する方向に見て凹の曲線状に
構成されている。
【００５６】
本実施形態では、照明装置１２０の熱的影響に起因する温度分布は、図示点線で示すよ
うに、導光板１１２の幅方向中央部において低く、導光板１１２の幅方向両端側に移動す
るほど高くなっている。これは、光源１２１の発熱による影響が導光板１２１の幅方向中
央部に弱く、幅方向両端側へ移動するほど強くなるからであり、この導光板１１２と平面
的に重なる液晶表示体１１０にも同じ傾向を有する温度分布が形成される。このような温
度分布は、照明装置１２０や液晶表示体１１０の側面が熱伝導率の高いケース体（例えば
、図示の金属ケース１３１）に格納されている場合などにおいて生ずる。
【００５７】
上記のような照明装置１２０に起因する温度分布が生ずる装置でも、当該温度分布の等
温度領域に沿った分割態様で複数の発熱領域（発熱層）が分離形成されることで、すなわ
ち、図示の分割線Ｓ″に沿って発熱体１１８″が分割されることで、上記温度分布を最も
効果的に緩和することが可能になる。
【００５８】
図４は、さらに異なる別の実施形態の照明装置及び発熱体の平面構造を示す概略平面図
である。この実施形態では、照明装置１２０′において、導光板１２２′の両側に光源１
２１Ａと１２１Ｂがそれぞれ配置され、導光板１２２′の両側の端面が共に光入射面１２
２ａとなっている点で、先の実施形態とは異なる。また、発熱体１３８は、光源１２１Ａ
に近い範囲に配置された発熱層１３８Ａと、光源１２１Ｂに近い範囲に配置された発熱層
１３８Ｂと、発熱層１３８Ａと１３８Ｂの間に配置された発熱層１３８Ｃとを有する。す
なわち、発熱層１３８Ａと１３８Ｃは分割線Ｓａの両側に分離形成され、発熱層１３８Ｂ
と１３８Ｃは分割線Ｓｂの両側に分離形成されている。
【００５９】
この実施形態では、光源１２１Ａと１２１Ｂが両側にそれぞれ配置されているため、光
源１２１Ａに近い発熱層１３８Ａと、光源１２１Ｂに近い発熱層１３８Ｂとを別々に設け
た上で、さらに両光源から離間した位置に発熱層１３８Ｃを設けることで、光源１２１Ａ
及び１２１Ｂによる熱的影響を緩和することができる。
【００６０】
なお、上記の照明装置１２０に起因する温度分布は、導光板１２２の温度分布であって
もよく、液晶表示体１１０の温度分布であってもよい。ただし、液晶表示体１１０自体の
温度の均一性を得ることが目的であるので、液晶表示体１１０自体の温度分布であること
が好ましく、特に、液晶の温度分布であることが望ましい。
【００６１】
図６は、上記実施形態の液晶表示体の細部構造の一例を示す概略拡大縦断面図である。
この液晶表示体１１０は、視認側とは反対側から入射した光を透過させる光透過領域と、
視認側の外光を反射させる光反射領域とを有する半透過反射構造を有する。
【００６２】
基板１１１の内面（基板１１２と対向する面）上には、配線やスイッチング素子（ＴＦ
Ｔ等の三端子非線形素子、或いは、ＴＦＤ等の二端子非線形素子など）などが適宜の層間
絶縁膜を介して積層されてなる駆動構造１１１Ｕが設けられ、その上に、樹脂等の絶縁体
で構成された絶縁層１４１、金属薄膜等の反射素材で構成された反射層１４２、ＩＴＯ等
の透明導電体で構成された電極１４３、ポリイミド樹脂等で構成された配向膜１４４が順
次積層されている。反射層１４２は画素Ｇごとに光反射領域Ｒｒを構成し、反射層１４２
の形成されていない部分が光透過領域Ｒｔを構成する。図示例の場合、電極１４３は画素
Ｇごとに形成された画素電極である。この場合、上記の駆動構造１１１Ｕにおいて図示し
ない配線に接続された図示しないスイッチング素子が画素に対応して設けられ、このスイ
ッチング素子にそれぞれ電極１４３が接続されている。
【００６３】
一方、基板１１２の内面（基板１１１と対向する面）上には、フォトポリマー（透明樹
脂）等の樹脂基材中に染料、顔料等の着色材を分散させてなる着色層１５１、アクリル樹
脂等の透明絶縁材で構成された保護膜１５２、ＩＴＯ等の透明導電体で構成された電極１
５３、ポリイミド樹脂等で構成された配向膜１５４が順次積層されている。
【００６４】
この液晶表示体１００では、照明装置１２０から出射された照明光は、上記偏光板１１
５を通過して所定の偏向状態とされ、光透過領域において液晶１１４を通過し、所定の光
変調を受けた後、上記偏光板１１６でその偏光状態に応じた吸収・透過作用を受けること
により、視認側において所定の透過表示が視認可能となる。
【００６５】
また、照明装置１２０を点灯していない場合には、視認側から入射した外光は、偏光板
１１６にて所定の偏向状態とされ、液晶１１４を通過した後に光反射領域において反射層
１４３によって反射され、再び液晶１１４を通過してから、再び偏光板１１６にてその偏
光状態に応じた吸収・透過作用を受けることにより、視認側において所定の反射表示が視
認可能とされる。
【００６６】
なお、図６に示す液晶表示体に限定される事項ではないが、発熱体は上記各実施形態の
ように基板の外面上ではなく、内面（もう一方の基板と対向する面）上に配置されていて
も構わない。このように基板１１１、１１２の内面上に発熱体が形成される場合には、当
該発熱体は、適宜の層間絶縁膜を利用若しくは追加すること等によって、配線や電極等と
絶縁されている必要がある。
【００６７】
また、上記実施形態では、発熱層で構成される複数の発熱領域が光源からそれぞれ異な
る距離にある範囲に設けられているが、図７に示すように、発熱体２１８として、第１の
発熱領域２１８Ａと光源２２１との距離が、第２の発熱領域２１８Ｂと光源２２１との距
離と同じか、或いは、それよりも大きく構成されていてもよい。なお、第１の発熱領域２
１８Ａと第２の発熱領域２１８Ｂは共に導光板２２２と平面的に重なるだけでなく、図示
しない液晶表示体の表示領域とも平面的に重なっている。
【００６８】
この場合、第２の発熱領域２１８Ｂの一の部分（主要部）２１８ｂ１は第１の発熱領域
２１８Ａに対して光源２２１とは反対側に配置されているため、一の部分２１８ｂ１は第
１の発熱領域２１８Ａよりも光源２２１から離間した範囲に形成されているが、第２の発
熱領域２１８Ｂの他の部分２１８ｂ２は第１の発熱領域２１８Ａの外縁に沿って光源２２
１側に延在しているため、当該他の部分２１８ｂ２が光源２２１に対して第１の発熱領域
２１Ａと同じ距離にあるか、それより近い距離に存在する。
【００６９】
上記のような場合であっても、光源２１１に対して近接した範囲に第１の発熱領域２１
８Ａが配置されており、第１の発熱領域２１８Ａよりも光源２１１から離間した範囲に第
２の発熱領域２１８Ｂの多くの部分（一の部分２１８ｂ１）が配置されているので、発熱
体２１８は光源２１１によって生ずる熱に起因する温度分布を緩和することが可能である
。
【００７０】
図８は、上記実施形態の液晶装置１００を搭載した電子機器の一例を示す概略斜視図で
ある。図示例の電子機器１０００は、車載用のカーナビゲーションシステムであり、本体
１０１０と、この本体１０１０に接続された表示部１０２０とを備えている。本体１０１
０には操作ボタン等を配設した操作面１０１１が設けられるとともに、ＤＶＤ等の記録媒
体の導入口１０１２が設けられている。表示部１０２０の内部には上記の液晶装置１００
が格納され、この液晶装置１００による表示、すなわち、ナビゲーション画像の表示が表
示部１０２０の表示画面１０２０ａにて視認できるように構成されている。
【００７１】
尚、本発明の液晶装置及び電子機器は、上述の図示例にのみ限定されるものではなく、
本発明の要旨を逸脱しない範囲内において種々変更を加え得ることは勿論である。
【００７２】
例えば、上記実施形態は液晶として液晶を用いた液晶表示装置を構成するものとして説
明してあるが、電気泳動表示体等の他の液晶を用いた液晶表示体を構成してもよい。
【００７３】
また、上記実施形態の照明装置はいずれも導光板の端面に対向配置される光源を有する
サイドライト型（エッジライト型）のバックライトを構成するものであるが、本発明では
、導光板の背後に配置された光源を有する直下型バックライトであってもよく、或いは、
バックライトではなく、フロントライトであってもよい。
【００７４】
さらに、上記の発熱体はいずれも液晶表示体に被着形成された発熱層を含むものである
が、液晶表示体とは別に形成されたヒータユニットとして構成されていてもよい。
【００７５】
また、上記の発熱体は液晶表示体と照明装置との間に配置されたものであるが、液晶表
示体の視認側に配置されていてもよい。
【図面の簡単な説明】
【００７６】
【図１】実施形態の全体構成を示す概略縦断面図（ａ）及び照明装置及び発熱体の平面構造を示す概略平面図（ｂ）。
【図２】異なる実施形態の照明装置及び発熱体の平面構造を示す概略平面図。
【図３】さらに異なる実施形態の照明装置及び発熱体の平面構造を示す概略平面図。
【図４】さらに別の実施形態の照明装置及び発熱体の平面構造を示す概略平面図。
【図５】実施形態の発熱体の構成を示す概略構成図。
【図６】液晶表示体の構成例を示す拡大部分縦断面図。
【図７】異なる発熱体の構成例を模式的に示す概略平面図。
【図８】液晶装置を搭載した電子機器の概略斜視図。
【符号の説明】
【００７７】
１００…液晶装置、１１０…液晶表示体、１１１、１１２…基板、１１３…シール材、１
１４…液晶（液晶）、１１５、１１６…偏光板、１１７…配線基板、１１８…発熱体、１
１８Ａ、１１８Ｂ…発熱層（発熱領域）、１１９Ａ，１１９Ｂ…端子部、１２０…照明装
置、１２１…光源、１２２…導光板、１２２ａ…光入射面、１２２ｂ…光出射面、１２２
ｃ…裏面、１２３…反射板、１２７…配線基板、Ａ…表示領域、１０００…電子機器
【図１】
0004821286.tif 000002
【図２】
0004821286.tif 000003
【図３】
0004821286.tif 000004
【図４】
0004821286.tif 000005
【図５】
0004821286.tif 000006
【図６】
0004821286.tif 000007
【図７】
0004821286.tif 000008
【図８】
0004821286.tif 000009